(57)【要約】【課題】椅子の座部を覆うカバーの装着性や使用時の装着状態の安定性、さらに、デザイン性に優れた椅子用カバーを提供すること。【解決手段】椅子Ｃの座部を覆う椅子用カバー１において、座面部１１、前面垂れ部１２、側面垂れ部１３及び後面垂れ部１４からなるカバー本体１０と、側面垂れ部１３の裏面の後端部に基端部１５ａを取り付け、中間部１５ｂを４５°の角度で２度折りし、先端部１５ｃに一方の面ファスナ１６ａを取り付けた平紐からなる取付片１５と、後面垂れ部１４の裏面の側端部に取り付けた他方の面ファスナ１６ｂとからなる。【選択図】図１
0003232266.tif 000002
【実用新案登録請求の範囲】
【請求項１】
椅子の座部を覆う椅子用カバーにおいて、
座面部、前面垂れ部、側面垂れ部及び後面垂れ部からなるカバー本体と、
側面垂れ部の裏面の後端部に基端部を取り付け、中間部を４５°の角度で２度折りし、先端部に一方の面ファスナを取り付けた平紐からなる取付片と、
後面垂れ部の裏面の側端部に取り付けた他方の面ファスナと
からなることを特徴とする椅子用カバー。
【請求項２】
前記後面垂れ部が、左右に分断して形成されてなることを特徴とする請求項１記載の椅子用カバー。
【考案の詳細な説明】
【技術分野】
【０００１】
本考案は、旅館、料理店、レストラン、ホテル、結婚式場等で使用される椅子に着脱自在に装着され、椅子を簡便且つ短時間にリニューアルすることができる椅子用カバーに関するものである。
【背景技術】
【０００２】
旅館、料理店、レストラン、ホテル、結婚式場等で使用される椅子は、長年の使用により、摩擦や経年劣化により、通常、何年かに一度は、生地を張り替え、リニューアルするのが一般的である。
しかし、生地の張り替えには、手数と、コストがかかるという問題があった。
【０００３】
この問題に対処するために、従来から様々な技術が開発されている。
例えば、特許文献１には、椅子生地が古くなったり、すり切れてきたりした椅子の雰囲気を一新する場合に使用することができる椅子用カバーが提案されている。
しかし、この椅子用カバーは、特に、椅子の座部を覆うカバーの装着性や使用時の装着状態の安定性、さらに、デザイン性の点で問題があった。
【先行技術文献】
【特許文献】
【０００４】
【特許文献１】実用新案登録第３１８８８１４号公報
【考案の概要】
【考案が解決しようとする課題】
【０００５】
本考案は、上記問題点に鑑み、椅子の座部を覆うカバーの装着性や使用時の装着状態の安定性、さらに、デザイン性に優れた椅子用カバーを提供することを目的とする。
【課題を解決するための手段】
【０００６】
上記目的を達成するため、本考案の椅子用カバーは、椅子の座部を覆う椅子用カバーにおいて、座面部、前面垂れ部、側面垂れ部及び後面垂れ部からなるカバー本体と、側面垂れ部の裏面の後端部に基端部を取り付け、中間部を４５°の角度で２度折りし、先端部に一方の面ファスナを取り付けた平紐からなる取付片と、後面垂れ部の裏面の側端部に取り付けた他方の面ファスナとからなることを特徴とする。
【０００７】
この場合において、前記後面垂れ部が、左右に分断して形成されてなるようにすることができる。
【考案の効果】
【０００８】
本考案の椅子用カバーは、椅子の座部を覆う椅子用カバーにおいて、座面部、前面垂れ部、側面垂れ部及び後面垂れ部からなるカバー本体と、側面垂れ部の裏面の後端部に基端部を取り付け、中間部を４５°の角度で２度折りし、先端部に一方の面ファスナを取り付けた平紐からなる取付片と、後面垂れ部の裏面の側端部に取り付けた他方の面ファスナとからなり、椅子の座部をカバー本体で覆うようにした状態で、取付片を椅子の座部の下を通して椅子の座部の後面に引き出し、取付片の先端部に取り付けた一方の面ファスナと、後面垂れ部の裏面の側端部に取り付けた他方の面ファスナとを接合することで、カバー本体を椅子の座部に装着することができ、装着性や使用時の装着状態の安定性、さらに、デザイン性に優れた椅子用カバーを提供することができる。
【０００９】
また、前記後面垂れ部が、左右に分断して形成されてなるようにすることにより、背もたれ部の中間に支柱が存在する椅子にも適用可能な椅子用カバーを提供することができる。
【図面の簡単な説明】
【００１０】
【図１】本考案の椅子用カバーの一実施例を示す説明図で、（ａ）は全体の斜視図、（ｂ）は要部の展開図である。
【図２】同椅子用カバーを椅子の座部に装着する状態を示す説明図である。
【図３】同椅子用カバーを装着した椅子を示す説明図で、（ａ）は前方から見た斜視図、（ｂ）は後方から見た斜視図である。
【考案を実施するための形態】
【００１１】
以下、本考案の椅子用カバーの実施の形態を、図面に基づいて説明する。
【００１２】
図１〜図３に、本考案の椅子用カバーの一実施例を示す。
この椅子用カバーは、椅子Ｃの座部を覆う椅子用カバー１と、椅子Ｃの背もたれ部を覆う椅子用カバー２とからなる。
このうち、椅子の座部を覆う椅子用カバー１は、座面部１１、前面垂れ部１２、側面垂れ部１３及び後面垂れ部１４からなるカバー本体１０と、側面垂れ部１３の裏面の後端部に基端部１５ａを取り付け、中間部１５ｂを４５°の角度で２度折りし、先端部１５ｃに一方の面ファスナ１６ａを取り付けた平紐からなる取付片１５と、後面垂れ部１４の裏面の側端部に取り付けた他方の面ファスナ１６ｂとからなる。
【００１３】
この場合において、カバー本体１０には、椅子の座部を覆う椅子用カバーに適した布や人工皮革等の任意の素材を用いることができる。
【００１４】
取付片１５には、織紐（真田紐）等の平紐を用い、中間部１５ｂの２度折りした部分が分離しないように、縫製等により一体化するようにしている。
また、一方の面ファスナ１６ａは、取付片１５の先端部１５ｃの表側面に取り付けるようにしている。
【００１５】
一方の面ファスナ１６ａ及び他方の面ファスナ１６ｂには、フック状に起毛された側とループ状に密集して起毛された側とを押し付けることで接合される汎用の面ファスナを用いることができる。
【００１６】
また、本実施例において、後面垂れ部１４は、左右に分断して形成するようにしている。
これにより、背もたれ部の中間に支柱が存在する椅子等にも適用可能となり、汎用性を高めることができる。
【００１７】
この椅子Ｃの座部を覆う椅子用カバー１は、椅子Ｃの座部をカバー本体１０で覆うようにした状態で、取付片１５を椅子Ｃの座部の下を通して椅子Ｃの座部の後面に引き出し、取付片１５の先端部１５ｃの表側面に取り付けた一方の面ファスナ１６ａと、後面垂れ部１４の裏面の側端部に取り付けた他方の面ファスナ１６ｂとを接合することで、カバー本体１０を椅子Ｃの座部に装着することができる。
この場合、取付片１５を椅子Ｃの座部の下を通したとき、取付片１５の中間部１５ｂの２度折りした部分が椅子Ｃの脚部と干渉することがなく、取付片１５を介して、取付片１５の基端部１５ａを取り付けた側面垂れ部１３の裏面の後端部と、他方の面ファスナ１６ｂを取り付けた後面垂れ部１４の側端部とを引き寄せることで、カバー本体１０を弛みや引きつりを生じることなく椅子Ｃの座部に装着することができる。
これにより、装着性や使用時の装着状態の安定性、さらに、デザイン性に優れた椅子用カバー１を提供することができる。
【００１８】
なお、椅子Ｃの背もたれ部を覆う椅子用カバー２は、本実施例においては、下方を開口した袋状に形成したものを用いるようにしている。
【００１９】
以上、本考案の椅子用カバーについて、その実施例に基づいて説明したが、本考案は上記実施例に記載した構成に限定されるものではなく、その趣旨を逸脱しない範囲において適宜その構成を変更することができるものである。
【産業上の利用可能性】
【００２０】
本考案の椅子用カバーは、椅子の座部を覆うカバーの装着性や使用時の装着状態の安定性、さらに、デザイン性に優れたものであることから、旅館、料理店、レストラン、ホテル、結婚式場等で使用される椅子に着脱自在に装着され、椅子を簡便且つ短時間にリニューアルすることができる椅子用カバーの用途に好適に用いることができる。
【符号の説明】
【００２１】
１  椅子用カバー
１０  カバー本体
１１  座面部
１２  前面垂れ部
１３  側面垂れ部
１４  後面垂れ部
１５  取付片
１５ａ  基端部
１５ｂ  中間部
１５ｃ  先端部
１６ａ  一方の面ファスナ
１６ｂ  他方の面ファスナ
２  椅子用カバー
Ｃ  椅子
【図１】
0003232266.tif 000003
【図２】
0003232266.tif 000004
【図３】
0003232266.tif 000005